(57)【要約】【課題】洗浄ポンプを用いる場合よりも静音性を高めて食器洗浄開始前の食器汚れの自然乾燥を防ぐ食器洗浄機及び食器洗浄乾燥機を提供する。【解決手段】機内循環ファン２０と、洗浄槽２に取着されるヒータ４とを備え、食器洗浄開始前に前記洗浄槽２に給水口から水が供給され、該供給された水を前記ヒータ４により加熱し前記供給された水の表面から霧を発生させ、該発生させた霧を前記機内循環ファン２０により食器洗浄機内に循環させるようにした。【選択図】図３
2007209548.tif 000002
【特許請求の範囲】
【請求項１】
食器洗浄を開始する前に作動する食器汚れ乾燥防止手段を備えた食器洗浄機において、前記食器汚れ乾燥防止手段は霧発生手段であることを特徴とする食器洗浄機。
【請求項２】
食器洗浄を開始する時間を予約する手段を備え、前記霧発生手段は食器洗浄を開始する時間を予約した後、食器洗浄を開始するまでの間に作動するように構成してあることを特徴とする請求項１記載の食器洗浄機。
【請求項３】
洗浄槽と、該洗浄槽に供給された水の温度を検出する温度センサと、前記霧発生手段の作動及び停止時間を検出された温度に応じて決定する手段と、決定した停止時間が経過したことを判断する手段と、前記霧発生手段を決定した作動時間作動させる手段とを備えることを特徴とする請求項１又は２に記載の食器洗浄機。
【請求項４】
前記霧発生手段は、加熱による霧の発生手段を備えることを特徴とする請求項１乃至３のいずれか一つに記載の食器洗浄機。
【請求項５】
前記霧発生手段は、超音波による霧の発生手段を備えることを特徴とする請求項１又は２に記載の食器洗浄機。
【請求項６】
食器洗浄を開始する前に作動する食器汚れ乾燥防止手段を備えた食器洗浄乾燥機において、
前記食器汚れ乾燥防止手段は霧発生手段であり、霧発生中に作動させる機内循環ファンを備えることを特徴とする食器洗浄乾燥機。
【発明の詳細な説明】
【技術分野】
【０００１】
本発明は、食器洗浄を開始する前に食器汚れが自然乾燥により固着することを防ぐ食器洗浄機及び食器洗浄乾燥機に関する。
【背景技術】
【０００２】
近年の食器洗浄機においては、食器洗浄を開始する時間を予約した後、食器洗浄を開始するまでの間（以下、待機時間中という。）に洗浄ポンプから水を噴射することで食器汚れの自然乾燥を防ぐものがある（例えば、特許文献１参照）。この食器汚れの自然乾燥を防ぐ手段は、諸動作を司る制御回路が待機時間中に所定時間ごとに前記洗浄ポンプを作動させ、食器に水を噴射するものである。
【０００３】
このような手段を備えることにより、利用者が食器洗浄機を運転させたい時間に合わせて運転を開始することができ、また食器の汚れが自然乾燥し、固着しないようにすることができる。
【０００４】
前記特許文献１においては、洗浄ポンプの噴射作動速度を通常の洗浄、すすぎ動作での速度よりも低減させることにより、運転の静音化を図っている。また、洗浄室内に洗剤収容部が設けてある場合は、収容された洗剤に水がかからない速度で洗浄ポンプを噴射作動させ、洗剤の流出を防いでいる。
【特許文献１】特開２００２−５３９号公報
【発明の開示】
【発明が解決しようとする課題】
【０００５】
洗浄効果を高めるために、食器洗浄を開始する前に洗浄室から排水を行っているが、該排水を行うと、食器洗浄を開始する直前に洗浄ポンプの噴射動作に必要な水量を新たに供給しなければならず、水の無駄が生じる。
【０００６】
また、このような食器汚れの自然乾燥を防ぐために前記洗浄ポンプを使用している以上、通常の洗浄、すすぎ動作に比べれば小さいものの、依然として動作音を発生させるという不具合がある。
【０００７】
本発明は斯かる事情を鑑みてなされたものであり、霧発生手段を設けることにより、食器洗浄を開始する前に食器汚れが自然乾燥しないようにしつつ運転の静音化を図ることができ、また、食器汚れの自然乾燥防止に必要な水量を抑制することができる食器洗浄機を提供することを目的とする。
【０００８】
また本発明は、食器洗浄を開始する時間を予約した後、食器洗浄を開始するまでの間に霧発生手段が作動するように構成することにより、待機時間中に食器汚れが自然乾燥して固着しないようにしつつ運転の静音化を図ることができ、また、食器汚れの自然乾燥防止に必要な水量を抑制することができる食器洗浄機を提供することを目的とする。
【０００９】
更に本発明は、洗浄槽に供給された水の温度に応じて決定された時間に従って前記霧発生手段を作動または停止させる手段を設けることにより、エネルギの消費を抑えうる食器洗浄機を提供することを目的とする。
【００１０】
加えて本発明は、霧を発生させる加熱手段を設けることにより洗浄ポンプの動作に必要な水量よりも少ない水量で食器汚れの自然乾燥を防止することができ、前記洗浄槽内に洗浄効果の高い水を確保することができ、また洗浄、すすぎに用いる加熱手段を兼用することで専用部品を設けない場合でも霧を発生させることができる食器洗浄機を提供することを目的とする。
【００１１】
また本発明は、超音波による霧の発生手段を設けることにより加熱手段で霧を発生させる場合に比べて少ない水量で食器汚れの自然乾燥を防止でき、加熱手段を用いる場合に比べて多くの洗浄効果の高い水を洗浄槽内に残すことが可能な食器洗浄機を提供することを目的とする。
【００１２】
更に本発明は、機内循環ファンを設けることにより食器汚れに実質上偏りなく霧を付着させうる食器洗浄乾燥機を提供するとともに、更に乾燥に用いる機内循環ファンを兼用すれば専用部品を設ける必要がなくなる食器洗浄乾燥機を提供することを目的とする。
【課題を解決するための手段】
【００１３】
本発明にかかる食器洗浄機は、食器洗浄を開始する前に作動する食器汚れ乾燥防止手段を備えた食器洗浄機において、前記食器汚れ乾燥防止手段は霧発生手段であることを特徴とする。
【００１４】
本発明においては、食器洗浄を開始する前に食器洗浄機内に霧を発生させることにより、食器汚れが食器洗浄開始前に固着することを防止し、運転の静音化を図ることができ、また、食器汚れを穏やかに湿らすことかでき、洗浄開始前の食器汚れの剥離を防ぐ。
【００１５】
また本発明にかかる食器洗浄機は、食器洗浄を開始する時間を予約する手段を備え、前記霧発生手段は食器洗浄を開始する時間を予約した後、食器洗浄を開始するまでの間に作動するように構成してあることを特徴とする。
【００１６】
本発明においては、待機時間中に霧を発生させ、食器洗浄機内にある食器の汚れに霧を付着させることで食器汚れの自然乾燥を防止する。
【００１７】
また本発明にかかる食器洗浄機は、洗浄槽と、該洗浄槽に供給された水の温度を検出する温度センサと、前記霧発生手段の作動及び停止時間を検出された温度に応じて決定する手段と、決定した停止時間が経過したことを判断する手段と、前記霧発生手段を決定した作動時間作動させる手段とを備えることを特徴とする。
【００１８】
本発明においては、利用者が洗浄開始時間の予約設定をした後に前記洗浄槽に水が供給され、供給された水の温度を前記温度センサが検出する。検出された水の温度に応じて霧発生手段の作動時間及び停止時間を決定し、霧発生手段を決定した時間停止させ、決定した時間作動させる。
【００１９】
また本発明にかかる食器洗浄機は、前記霧発生手段が、加熱による霧の発生手段を備えることを特徴とする。
【００２０】
本発明においては、食器洗浄機内の水を加熱することで霧を発生させることにより、穏やかに食器汚れを湿らすことができ、前記洗浄槽に供給された水に食器汚れが混入することをほぼ防ぐことができるので、前記洗浄槽に洗浄効果の高い水を確保することが可能である。
【００２１】
また本発明にかかる食器洗浄機は、前記霧発生手段が、超音波による霧の発生手段を備えることを特徴とする。
【００２２】
本発明においては、超音波振動子を用いて水面を振動させて霧を発生させることにより、蒸気を発生させず前記洗浄槽外への蒸気の漏れ出しを防ぐ。
【００２３】
本発明にかかる食器洗浄乾燥機は、食器洗浄を開始する前に作動する食器汚れ乾燥防止手段を備えた食器洗浄乾燥機において、前記食器汚れ乾燥防止手段は霧発生手段であり、霧発生中に作動させる機内循環ファンを備えることを特徴とする。
【００２４】
本発明においては、霧発生中に前記機内循環ファンを作動させることにより、実質上偏りなく前記食器汚れに霧を付着させうる。
【発明の効果】
【００２５】
本発明にかかる食器洗浄機においては、食器洗浄を開始する前に食器洗浄機内に霧を発生させ、食器汚れが食器洗浄開始前に固着することを防止し運転の静音化を図ることができる。また、霧を用いることで食器汚れを穏やかに湿らせ、洗浄開始前の食器汚れの剥離を防ぎ、前記洗浄槽に供給された水に食器汚れが混入することをほぼ防ぐことができるので、前記洗浄槽に洗浄効果の高い水を確保することが可能である。
【００２６】
また、本発明においては、待機時間中に霧を発生させることで、食器洗浄機内の食器汚れに該霧を付着させることができ、食器汚れの自然乾燥を防止する。また、前記洗浄ポンプの作動を行わないことから運転の静音化を図ることができる。また、霧を用いることで、前記洗浄槽に洗浄効果の高い水を確保することが可能である。
【００２７】
更に、本発明においては、洗浄槽に供給された水の温度を前記温度センサが検出し、検出された水の温度が相対的に高い場合には低い場合よりも前記霧発生手段の作動時間を短くし停止時間を長くすることにより不要なエネルギ消費を抑えうる。
【００２８】
また、本発明においては、前記加熱手段により発生させた霧を用いることで、穏やかに食器汚れを湿らせ、洗浄開始前の食器汚れの剥離を防ぎ、前記洗浄槽に供給された水に食器汚れが混入することをほぼ防ぐことができるので前記洗浄槽内に洗浄効果の高い水を確保することが可能となる。また洗浄、すすぎに用いる加熱手段と兼用すれば専用部品を設ける必要がなくなる。
【００２９】
更に、本発明においては、食器洗浄機内に設置された超音波振動子により水面を振動させて、蒸気を発生させずに霧を発生させ、蒸気が機外に漏れることを防ぎ、加熱手段により霧を発生させる場合に比べ少ない水量で超音波による霧を発生させることにより、洗浄槽内に洗浄効果の高い水を多く残しうる。
【００３０】
また、本発明にかかる食器洗浄乾燥機においては、霧発生中の前記機内循環ファンの作動により、霧を機内に循環させることで実質上偏りなく前記食器汚れに霧を付着させうる。また、乾燥に用いる前記機内循環ファンを兼用すれば専用部品を設ける必要がなくなる。
【００３１】
また、本発明においては、前記霧発生手段を用いることで、洗剤収容部が食器洗浄機または食器洗浄乾燥機の内部に設置されている場合でも多量の水が掛からないので収容された洗剤が流出しないようにしうる。
【発明を実施するための最良の形態】
【００３２】
（実施の形態１）
以下、本発明を実施の形態１を示す図面に基づいて詳述する。図１は、本発明の実施の形態１にかかる食器洗浄乾燥機の要部構成を示す模式的縦断正面図、図２は模式的平面図、図３は模式的縦断側面図である。
【００３３】
図において、１は食器洗浄乾燥機の外装を成す筐体であり、洗浄槽２が筐体１の内部に設けられ、洗浄槽２の内部には食器類１７を載せる食器かご３が収容され、食器かご３の上部には洗剤容器１８が設けられている。また、洗浄槽２の底部付近には、洗浄、すすぎを行う場合に水を加熱し、また、乾燥を行う場合に洗浄槽２内の空気を暖める渦巻形状のヒータ４が配設されている。また、筐体１と洗浄槽２の底部との間にはマイクロプロセッサを備える制御回路１１が配設されている。また、貯水タンク１９が洗浄槽２の底部に設けられ、水位センサ２５が筐体１の側部に配設され、水位センサ２５は水路を介して貯水タンク１９と連なり、温度センサ２４が貯水タンク１９の内面に取着されている。また、給水ホース１５が筐体１の側部に配設され、給水ホース１５の下方の端部と給水弁１４とが連結され、給水ホース１５の上方の端部と給水口１６とが連結されている。また、モータ８により駆動される洗浄ポンプ７が筐体１の中央底部付近に設けられ、洗浄ポンプ７の上方に吐出ホース９が取着され、吐出ホース９の上部に回転ノズル１０が取り付けられている。また、貯水タンク１９の底部に排水管１２が取り付けられ、排水管１２内に排水弁１２ａが取着されている。なお、水位センサ２５は洗浄槽２の水位がヒータ４の上方となる水位になった場合に信号を発するように構成されている。また、洗剤容器１８が設けられる位置は食器かご３の上部に限られるものではない。
【００３４】
筐体１後部の底付近には、機内循環ファン２０がケーシング２０ｂに覆われて設けてあり、モータ２０ａが機内循環ファン２０を駆動している。また洗浄槽２の底部下方に吸気口２１から外気を取り込む吸気路２２が設けられ、吸気路２２の奥部には機内循環ファン２０が配設され、機内循環ファン２０の上方に送出路２３が設けてある。図３に記載されている矢印は外気の流れを示すものであり、霧発生中にモータ２０ａを用いて機内循環ファン２０を駆動させることにより、吸気口２１から外気が取り込まれ、外気は吸気路２２及び送出路２３を通り、洗浄槽２に供給された水の水面へと導かれ、水面上に発生した霧を食器洗浄乾燥機内に循環させる。
【００３５】
図４は洗浄開始前の食器汚れ自然乾燥防止から食器の乾燥に至る一連の動作を行う制御回路１１及び制御回路１１の周辺部品群の概略ブロック図である。制御回路１１は温度センサ２４及び水位センサ２５と接続されている。そして、貯水タンク１９に供給された水温が温度センサ２４により検出され、予め水位センサ２５に設定されている水位、例えばヒータ４の上方となる水位まで洗浄槽２に水を供給したか否かが水位センサ２５により検出され、制御回路１１に両センサからの検出結果が入力される。また、制御回路１１は機内循環ファンリレー４０１、ヒータリレー４０２、給水弁リレー４０３、ポンプリレー４０４及び排水弁リレー４０５と接続され、制御回路１１からオン若しくはオフ信号又は給水弁１４若しくは排水弁１２ａの開閉信号が各リレーに出力される。そして、食器汚れ乾燥防止から乾燥に至る一連の動作を温度センサ２４、水位センサ２５等を用いて制御している。
【００３６】
図５及び図６は本発明の実施の形態１にかかる食器洗浄乾燥機に用いられている制御回路１１のタイマ予約後洗浄開始前の食器汚れの自然乾燥を防ぐ処理手順を示すフローチャートである。食器洗浄乾燥機にはタイマ予約ボタン、タイマ時間設定ボタン、タイマ予約解除ボタン（いずれも図示せず）が取着され、利用者がタイマ予約ボタン及びタイマ時間設定ボタンを押しタイマ予約設定を行い、タイマ予約をスタートさせると、制御回路１１から給水弁リレー４０３に開信号が出力され（Ｓ５０１）給水弁１４が開き、貯水タンク１９に水が供給される。水位センサ２５は洗浄槽２の水位がヒータ４の上方となる水位になった場合に信号を発するようにしてあり、制御回路１１が前記信号の検出を行う（Ｓ５０２）。ヒータ４の上方となる水位になったことを示す信号が検出されていない場合は（Ｓ５０２：ＮＯ）再度水位センサ２５からの信号の検出を行う（Ｓ５０２）。ヒータ４の上方となる水位まで水が供給されたことを示す信号を検出した場合は（Ｓ５０２：ＹＥＳ）制御回路１１から給水弁リレー４０３に閉信号を出力し（Ｓ５０３）給水弁１４が閉じタイマ予約待機状態（Ｓ５０４）となる。
【００３７】
次に洗浄開始時間であるか否かを判断し（Ｓ５０５）洗浄開始時間である場合は（Ｓ５０５：ＹＥＳ）ポンプリレー４０４にオン信号を出力し洗浄を行う（Ｓ５２１）。洗浄開始時間でない場合は（Ｓ５０５：ＮＯ）供給された水の温度を示す信号を温度センサ２４から取り込む（Ｓ５０６）。次に取り込んだ信号に応じて、制御回路１１に設けてあるルックアップテーブル（図示せず）を参照し図７に示されるヒータ通電時間（時間Ｔ１）及びヒータ通電停止時間（時間Ｔ２）を決定する。そして制御回路１１に設けてあるタイマレジスタ（図示せず）に時間Ｔ１及び時間Ｔ２を設定する（Ｓ５０７）。次に予約が解除されているか否かを判断する（Ｓ５０８）。例えば予約解除のボタンが押され予約が解除されている場合は（Ｓ５０８：ＹＥＳ）予約を解除しタイマ予約を開始する前の状態に戻る（Ｓ５０９）。予約が解除されていない場合は（Ｓ５０８：ＮＯ）、タイマ予約待機状態開始時または直近の後述する時間Ｔ２カウントダウン時（Ｓ５１１）から単位時間経過しているか否かを判断する（Ｓ５１０）。そして単位時間経過していない場合は（Ｓ５１０：ＮＯ）予約解除がされているか否かの判断（Ｓ５０８）に戻る。単位時間が経過している場合は（Ｓ５１０：ＹＥＳ）タイマレジスタから時間Ｔ２を単位時間分カウントダウンする（Ｓ５１１）。次に時間Ｔ２が０以下になったか否かを判断する（Ｓ５１２）。時間Ｔ２が０以下になっていない場合は（Ｓ５１２：ＮＯ）単位時間を経過しているか否かの判断に戻る（Ｓ５１０）。
【００３８】
時間Ｔ２が０以下になっている場合は（Ｓ５１２：ＹＥＳ）ヒータリレー４０２にオン信号を出力し（Ｓ５１３）ヒータ通電を開始させる。そして温度センサ２４からの信号を取り込み（Ｓ５１４）、制御回路１１は、温度センサ２４からの信号が霧を発生させる温度を示す信号か否かの判断を行う（Ｓ５１５）。温度センサ２４からの信号が霧を発生させる温度を示す信号でない場合は（Ｓ５１５：ＮＯ）温度センサ２４からの信号の取り込みに戻る（Ｓ５１４）。温度センサ２４からの信号が霧を発生させる温度を示す信号である場合は（Ｓ５１５：ＹＥＳ）機内循環ファンリレー４０１にオン信号を出力し（Ｓ５１６）単位時間経過したか否かの判断を行う（Ｓ５１７）。単位時間経過していないときは（Ｓ５１７：ＮＯ）再度単位時間経過したか否かの判断（Ｓ５１７）を行う。単位時間を経過している場合は（Ｓ５１７：ＹＥＳ）タイマレジスタから時間Ｔ１を単位時間分カウントダウンする（Ｓ５１８）。そして時間Ｔ１が０以下になったか否かの判断を行う（Ｓ５１９）。時間Ｔ１が０以下になっていない場合は（Ｓ５１９：ＮＯ）単位時間を経過しているか否かの判断に戻る（Ｓ５１７）。時間Ｔ１が０以下になっている場合は（Ｓ５１９：ＹＥＳ）機内循環ファンリレー４０１及びヒータリレー４０２にオフ信号を出力し（Ｓ５２０）ヒータ４への通電及び機内循環ファン２０の作動を停止しタイマ予約待機状態に戻り（Ｓ５０４）、洗浄開始時間となる（Ｓ５２１）又はタイマ予約が解除される（Ｓ５０９）まで反復される。
【００３９】
なお、時間Ｔ１及び時間Ｔ２の設定（Ｓ５０７）に際しては後述する図表７に記載されている時間に限られず、食器汚れの自然乾燥を防げる時間であればよい。また、予約が解除されているか否かの判断において（Ｓ５０８）利用者が洗浄ボタンを押したときは予約を解除しポンプリレー４０４に通電し洗浄を開始する。
【００４０】
また、実施の形態１においては時間Ｔ１及び時間Ｔ２の周期が水の温度により変化するものであったが、水の温度にかかわらず時間Ｔ１及び時間Ｔ２の周期を変えずに、水の温度に応じて時間Ｔ１及び時間Ｔ２を変化するものであってもよい。即ち、時間Ｔ１及び時間Ｔ２を合計した時間を水の温度にかかわらず一定にし、そして水の温度に応じて時間Ｔ１を決定し、前記時間Ｔ１及び時間Ｔ２を合計した時間と前記水の温度に応じて決定した時間Ｔ１との差を時間Ｔ２としてもよい。また、洗浄槽２に水を供給する時間を考慮して時間Ｔ２カウントダウンを行ってもよい。
【００４１】
図７は、前記ヒータ通電時間及びヒータ通電停止時間を示す図表である。図表においては例えば、水温が１０℃未満の場合にはヒータ通電時間を３分とし、ヒータ通電停止時間を３０分としており、水温が１０℃以上１５℃未満の場合にはヒータ通電時間を２分３０秒とし、ヒータ通電停止時間を３５分としてある。一般に水温が高い場合は霧を発生させるために必要な熱量が少なく、ヒータ４への通電時間を短くできる。また、水温が高いと洗浄槽２内の湿度も高く前記ヒータ通電停止時間も長くできる。これによりヒータ４への通電時間を制御し無駄に電力を消費することを防止できる。
【００４２】
霧を用いることで、洗浄ポンプ７、７から噴射される水の勢いにより食器汚れが剥離することを防ぎ、食器汚れが洗浄槽２内の水に混入することをほぼ防ぐことが可能であり、洗浄効果の高い水を洗浄槽２に残すことができる。また、洗浄ポンプ７、７を用いないので静音性を高めることができる。更に、多量の水が洗剤容器１８に掛からないので収納されている洗剤の流出を抑えることができる。また、霧を食器洗浄乾燥機内に循環させ、食器汚れに実質的に偏りなく付着させることで食器を洗浄する際に汚れが落ちやすくなる。
【００４３】
また、実施の形態１においては機内循環ファン２０を設けた食器洗浄乾燥機について説明しているが、乾燥工程を行わない食器洗浄機であって専用の機内循環ファンを設けたものでよく、機内循環ファンを設けない食器洗浄機でもよい。機内循環ファンを設けない食器洗浄機の場合は機内循環ファンの作動を行わないが、その場合でも食器汚れの自然乾燥防止機能は果たすことができる。また、洗剤容器がないものでもよい。
【００４４】
（実施の形態２）
以下、本発明にかかる実施の形態２について図面を基づいて詳述する。図８及び図９は、本発明の実施の形態２にかかる食器洗浄乾燥機に用いられている制御回路１１のタイマ予約後洗浄開始前の食器汚れの自然乾燥を防ぐ処理手順を示すフローチャートである。食器洗浄乾燥機にはタイマ予約ボタン、タイマ時間設定ボタン、タイマ予約解除ボタン（いずれも図示せず）が取着され、利用者がタイマ予約ボタン及びタイマ時間設定ボタンを押しタイマ予約設定を行い、タイマ予約をスタートさせると、制御回路１１から給水弁リレー４０３に開信号が出力され、給水弁１４が開き、貯水タンク１９に水が供給される。水位センサ２５は洗浄槽２の水位がヒータ４の上方となる水位になった場合に信号を発するようにしてあり、制御回路１１が前記信号の検出を行う。ヒータ４の上方となる水位になったことを示す信号が検出されていない場合は、再度水位センサ２５からの信号の検出を行う。ヒータ４の上方となる水位まで水が供給されたことを示す信号を検出した場合は、制御回路１１から給水弁リレー４０３に閉信号を出力し、給水弁１４が閉じタイマ予約待機状態となる。
【００４５】
次に洗浄開始時間であるか否かを判断し（Ｓ８０５）洗浄開始時間である場合は（Ｓ８０５：ＹＥＳ）ポンプリレー４０４にオン信号を出力し洗浄を行う（Ｓ８１９）。洗浄開始時間でない場合は（Ｓ８０５：ＮＯ）予約が解除されているか否かを判断する（Ｓ８０６）。例えば予約解除のボタンが押され予約が解除されている場合は予約を解除しタイマ予約を開始する前の状態に戻る。予約が解除されていない場合は、タイマ予約待機状態開始時または直近の後述する時間Ｔ４カウントダウン時から単位時間経過しているか否かを判断する。そして単位時間経過していない場合は、予約解除がされているか否かの判断に戻る。単位時間が経過している場合は、タイマレジスタから時間Ｔ４を単位時間分カウントダウンする。次に時間Ｔ４が０以下になったか否かを判断する。時間Ｔ４が０以下になっていない場合は単位時間を経過しているか否かの判断に戻る。
【００４６】
時間Ｔ４が０以下になっている場合はヒータリレー４０２にオン信号を出力しヒータ通電を開始させる。そして温度センサ２４からの信号を取り込み、制御回路１１は、温度センサ２４からの信号が霧を発生させる温度を示す信号か否かの判断を行う。温度センサ２４からの信号が霧を発生させる温度を示す信号でない場合は、温度センサ２４からの信号の取り込みに戻る。温度センサ２４からの信号が霧を発生させる温度を示す信号である場合は、機内循環ファンリレー４０１にオン信号を出力し、単位時間経過したか否かの判断を行う。単位時間経過していないときは、再度単位時間経過したか否かの判断を行う。単位時間を経過している場合は、タイマレジスタから時間Ｔ３を単位時間分カウントダウンする。そして時間Ｔ３が０以下になっているか否かの判断を行う。時間Ｔ３が０以下になっていない場合は、単位時間を経過しているか否かの判断に戻る。時間Ｔ３が０以下になっている場合は、機内循環ファンリレー４０１及びヒータリレー４０２にオフ信号を出力し、ヒータ４への通電及び機内循環ファン２０の作動を停止しタイマ予約待機状態に戻り、洗浄開始時間となる又はタイマ予約が解除されるまで反復される。
【００４７】
実施の形態２においてはヒータ通電時間（時間Ｔ３）及びヒータ通電停止時間（時間Ｔ４）を固定時間にしている。従って、図において洗浄開始時間か否かの判断をするステップ（Ｓ８０５）と予約が解除されているか否かを判断するステップ（Ｓ８０６）の間に実施の形態１における水温に応じて時間Ｔ１及び時間Ｔ２を設定するステップ（Ｓ５０６、Ｓ５０７）に相当するステップはない。なお、実施の形態２にかかる食器洗浄乾燥機のその他の構成及び作用は実施の形態１と同様であり、その詳細な説明は省略する。
【００４８】
固定時間ヒータに通電または通電を停止することにより、温度に応じた時間に従って通電または通電を停止する場合より簡単な構成にすることができる。
【００４９】
（実施の形態３）
以下、本発明を実施の形態３を示す図面に基づいて詳述する。図１０は本発明の実施の形態３にかかる食器洗浄乾燥機の要部構成を示す模式的縦断正面図、図１１は超音波霧化装置２６の要部拡大図である。
【００５０】
図において、洗浄槽２の底部には貫通孔が設けてあり、該貫通孔を下から塞ぐようにして超音波霧化装置２６が取着されている。超音波霧化装置２６は超音波振動子２６ａ及び本体部２６ｂからなり、超音波振動子２６ａが本体部２６ｂの中央付近に設けられ、本体部２６ｂはボルト２７，２７により洗浄槽２に取り付けられている。実施の形態３にかかる食器洗浄乾燥機のその他の構成、作用については実施の形態１又は２と同様であり、その詳細な説明は省略する。
【００５１】
図１２は本発明の実施の形態３にかかる食器洗浄乾燥機の食器洗浄開始前の食器汚れ自然乾燥防止から乾燥に至る一連の動作を行う制御回路１１及び制御回路１１の周辺部品群についての概略ブロック図である。図において、超音波霧化装置２６が制御回路１１に接続されていて制御回路１１と超音波霧化装置２６との間で信号が入出力されている。その他の食器洗浄乾燥機の構成、作用は実施の形態１又は２にかかる食器洗浄乾燥機と同様であるため、その詳細な説明は省略する。
【００５２】
図１３及び図１４は、本発明の実施の形態３にかかる食器洗浄乾燥機に用いられている制御回路１１のタイマ予約後洗浄開始前の食器汚れの自然乾燥を防ぐ処理手順を示すフローチャートである。食器洗浄乾燥機にはタイマ予約ボタン、タイマ時間設定ボタン、タイマ予約解除ボタン（いずれも図示せず）が取着され、利用者がタイマ予約ボタン及びタイマ時間設定ボタンを押しタイマ予約設定を行い、タイマ予約をスタートさせると、制御回路１１から給水弁リレー１２０３に開信号が出力され、給水弁１４が開き、貯水タンク１９に水が供給される。水位センサ２５は洗浄槽２の水位が超音波霧化装置２６の上方となる水位になった場合に信号を発するようにしてあり、制御回路１１が前記信号の検出を行う。超音波霧化装置２６の上方となる水位になったことを示す信号が検出されていない場合は、再度水位センサ２５からの信号の検出を行う。超音波霧化装置２６の上方となる水位まで水が供給されたことを示す信号を検出した場合は、制御回路１１から給水弁リレー１２０３に閉信号を出力し、給水弁１４が閉じタイマ予約待機状態となる。
【００５３】
次に洗浄開始時間であるか否かを判断し洗浄開始時間である場合は、ポンプリレー１２０４にオン信号を出力し洗浄を行う。洗浄開始時間でない場合は予約が解除されているか否かを判断する。例えば予約解除のボタンが押され予約が解除されている場合は予約を解除しタイマ予約を開始する前の状態に戻る。予約が解除されていない場合は、タイマ予約待機状態開始時または直近の後述する時間Ｔ６カウントダウン時から単位時間経過しているか否かを判断する。そして単位時間経過していない場合は、予約解除がされているか否かの判断に戻る。単位時間が経過している場合は、タイマレジスタから時間Ｔ６を単位時間分カウントダウンする。次に時間Ｔ６が０以下になったか否かを判断する。時間Ｔ６が０以下になっていない場合は単位時間を経過しているか否かの判断に戻る。
【００５４】
時間Ｔ６が０以下になっている場合は超音波霧化装置２６にオン信号を出力し（Ｓ１３１１）超音波振動子２６ａの振動を開始させ霧を発生させる。そして機内循環ファンリレー１２０１にオン信号を出力し（Ｓ１３１２）単位時間経過したか否かの判断を行う。単位時間経過していないときは、再度単位時間経過したか否かの判断を行う。単位時間を経過している場合は、タイマレジスタから時間Ｔ５を単位時間分カウントダウンする。そして時間Ｔ５が０以下になっているか否かの判断を行う。時間Ｔ５が０以下になっていない場合は、単位時間を経過しているか否かの判断に戻る。時間Ｔ５が０以下になっている場合は、機内循環ファンリレー１２０１及び超音波霧化装置２６にオフ信号を出力し、超音波霧化装置２６及び機内循環ファン２０の作動を停止しタイマ予約待機状態に戻り、洗浄開始時間となる又はタイマ予約が解除されるまで反復される。
【００５５】
実施の形態３にかかる食器洗浄乾燥機においては、超音波霧化装置２６を用いて霧を発生させている。また、超音波霧化装置２６の通電時間（時間Ｔ５）及び通電停止時間（時間Ｔ６）を固定時間にしている。また、霧を発生させるまでの時間がヒータ４を用いる場合に比べて短いため、超音波霧化装置２６にオン信号を出力するステップ（Ｓ１３１１）と機内循環ファンリレー１２０１にオン信号を出力するステップ（Ｓ１３１２）の間に、実施の形態２における霧を発生させるまで洗浄槽２に供給された水を加熱するステップ（Ｓ８１２、Ｓ８１３）に相当するステップはない。
【００５６】
霧を用いることで、洗浄ポンプ７、７から噴射される水の勢いによる食器汚れの剥離を防止し、洗浄槽２内の水に該食器汚れが混入することをほぼ防ぐので、洗浄効果の高い水を洗浄槽２に残すことができる。また、洗浄ポンプ７、７を用いないので静音性を高めることができる。更に、多量の水が洗剤容器１８に掛からないので収納されている洗剤の流出を抑えることができる。また、霧を食器洗浄乾燥機内に循環させ、食器汚れに実質的に偏りなく付着させることで食器を洗浄する際に汚れが落ちやすくなる。
【００５７】
実施の形態３においてはヒータ４及び超音波霧化装置２６を備えた食器洗浄乾燥機について記載しているが、ヒータを備えない食器洗浄機であってもよい。また、霧を循環させるための専用の機内循環ファンを設けた食器洗浄機であってもよく、機内循環ファンを設けない食器洗浄機であってもよい。機内循環ファンを設けない食器洗浄機の場合は機内循環ファンの作動（Ｓ１３１２）を行わないが、その場合でも食器汚れの自然乾燥防止機能は果たすことができる。また、図１０において温度センサの記載を省略しているが温度センサを備えた食器洗浄乾燥機または食器洗浄機であってもよい。
【図面の簡単な説明】
【００５８】
【図１】本発明の実施の形態１にかかる食器洗浄乾燥機の要部構成を示す模式的縦断正面図である。
【図２】本発明の実施の形態１にかかる食器洗浄乾燥機の要部構成を示す模式的平面図である。
【図３】本発明の実施の形態１にかかる食器洗浄乾燥機の要部構成を示す模式的縦断側面図である。
【図４】本発明の実施の形態１にかかる食器洗浄乾燥機の一連の動作を行う制御回路及び制御回路の周辺部品群の概略ブロック図である。
【図５】本発明の実施の形態１に用いられている制御回路の処理手順を示すフローチャートである。
【図６】本発明の実施の形態１に用いられている制御回路の処理手順を示すフローチャートである。
【図７】本発明の実施の形態１にかかる食器洗浄乾燥機のヒータ通電時間及びヒータ通電停止時間を示す図表である。
【図８】本発明の実施の形態２に用いられている制御回路の処理手順を示すフローチャートである。
【図９】本発明の実施の形態２に用いられている制御回路の処理手順を示すフローチャートである。
【図１０】本発明の実施の形態３にかかる食器洗浄乾燥機の要部構成を示す模式的縦断正面図である。
【図１１】本発明の実施の形態３に用いられている超音波霧化装置の要部拡大図である。
【図１２】本発明の実施の形態３にかかる食器洗浄乾燥機の一連の動作を行う制御回路及び制御回路の周辺部品群の概略ブロック図である。
【図１３】本発明の実施の形態３に用いられている制御回路の処理手順を示すフローチャートである。
【図１４】本発明の実施の形態３に用いられている制御回路の処理手順を示すフローチャートである。
【符号の説明】
【００５９】
１  筐体
２  洗浄槽
４  ヒータ
７  洗浄ポンプ
１０  回転ノズル
１１  制御回路
１４  給水弁
１６  給水口
１９  貯水タンク
２０  機内循環ファン
２０ａ  モータ
２０ｂ  ケーシング
２１  吸気口
２２  吸気路
２３  送出路
２４  温度センサ
２５  水位センサ
２６  超音波霧化装置
【図１】
2007209548.tif 000003
【図２】
2007209548.tif 000004
【図３】
2007209548.tif 000005
【図４】
2007209548.tif 000006
【図５】
2007209548.tif 000007
【図６】
2007209548.tif 000008
【図７】
2007209548.tif 000009
【図８】
2007209548.tif 000010
【図９】
2007209548.tif 000011
【図１０】
2007209548.tif 000012
【図１１】
2007209548.tif 000013
【図１２】
2007209548.tif 000014
【図１３】
2007209548.tif 000015
【図１４】
2007209548.tif 000016